(57)【要約】【課題】  ゴルフにおいてミスショットの原因となる手首の過剰な外折れを、少ない練習で矯正でき、かつ実際のラウンドにも使用可能な簡便なゴルフ練習用具を提供する。【解決手段】  ゴルフクラブを把持する手の掌面側が打撃されるゴルフボールに対向する利き腕に装着され、前記手の掌面側及び／又は甲面側に沿って配置され手首の外折角度を規制する所定の粘弾性を有した折曲抑止部材を備える構成とした。これにより、力が入りやすく、かつ鋭敏な利き腕における手首の外折れ角度の矯正が可能なのでトレーニングを効果的に行うことができる。【選択図】    図１
2006255174.tif 000002
【特許請求の範囲】
【請求項１】
ゴルフクラブを把持する手の掌面側が打撃されるゴルフボールに対向する利き腕に装着され、前記手の掌面側及び／又は甲面側に沿って配置され手首の外折角度を規制する折曲抑止部材を備えていることを特徴とするゴルフ練習用具。
【請求項２】
前記折曲抑止部材がその装着時における手首の折曲規制角度を調整する折曲量調整部材を備えていることを特徴とする請求項１記載のゴルフ練習用具。
【請求項３】
前記折曲抑止部材は、手の親指側にその甲面と掌面とに亘って曲設されていることを特徴とする請求項１又は２記載のゴルフ練習用具。
【請求項４】
前記折曲抑止部材が生分解性プラスチックや抗菌剤を素材として含むことを特徴とする請求項１〜３の内いずれか１項に記載のゴルフ練習用具。
【発明の詳細な説明】
【技術分野】
【０００１】
本発明は、理想的なゴルフスウィングフォームを容易に取得することができ、かつ実際のプレイ時にも用いることのできるゴルフ練習用具に関する。
【背景技術】
【０００２】
ゴルファが練習を積み重ねて正確なゴルフスウィングを会得しようとする場合、多くの練習時間と努力が必要である。すなわち、ゴルフクラブのスウィングにおいては、その姿勢が特に重要であり、とりわけ、テークバックやトップ、インパクト位置における手首の外折角度が常時一定となることが理想とされ、良く伸びた肘と前述の手首の状態となることが重要である。このため多くのゴルファはこの理想的な姿勢を身につけるために多くの時間を費やすことになる。そこで、このようなゴルフスウィングにおける手首の外折角度を矯正するための手段として種々のゴルフ練習用具が提案されている。
例えば特許文献１は、手袋の内側に、小指と薬指の付け根から手首までを覆うと共に、手の小指側の側面から手の甲の薬指の延長線上までを覆う矯正部材を配設して、ゴルフスウィングに際して手首が甲側と小指側に折れ曲がるのを阻止するようにしたゴルフ練習用具が開示されている。
また、特許文献２には、指もしくは手の甲部分に装着される上部装着部と、手首に装着される手首部と、前記手首部と前記上部装着部とを前記手の甲側で繋いで前記手首部と一体に形成された弾性可撓性部材を有した押さえ板部からなる手首ホルダーが記載されている。
【特許文献１】特開２００４−１０５５４４号公報
【特許文献２】特開平８−１３４７０５号公報
【発明の開示】
【発明が解決しようとする課題】
【０００３】
しかしながら、前記特許文献１、２に記載の従来のゴルフ練習用具は、利き腕とは逆となる飛球方向側の手に装着されるので、力が入りやすい利き腕側の意識が薄れてしまい、十分な成果を発揮しえないおそれがあった。さらに、従来のものは、人によって異なるゴルフスウィングに応じて手首の外折角度を精密に設定することができないために、かえって悪いフォームで固定してしまい、理想的なゴルフスウィングが得られないおそれがあった。
【０００４】
本発明は前記従来の課題を解決するためになされたもので、ゴルフスウィングにおける利き腕側の手首の外折角度を規定することで、手首の外折れをプレイヤーは意識しやすくなり、少ない練習で手首の外折れ角度を一定維持することができるようになるゴルフ練習用具を提供することを目的とする。
【課題を解決するための手段】
【０００５】
（１）請求項１記載の本発明に係るゴルフ練習用具は、ゴルフクラブを把持する手の掌面側が打撃されるゴルフボールに対向する利き腕に装着され、前記手の掌面側及び／又は甲面側に沿って配置され手首の外折角度を規制する折曲抑止部材を備えている構成とした。
【０００６】
（２）請求項２記載のゴルフ練習用具は、前記（１）において、前記折曲抑止部材がその装着時における手首の折曲規制角度を調整する折曲量調整部材を備えていることを特徴とする。
【０００７】
（３）請求項３記載のゴルフ練習用具は、前記（１）又は（２）において、前記折曲抑止部材は、手の親指側にその甲面と掌面とに亘って曲設されていることを特徴とする。
【０００８】
（４）請求項４記載のゴルフ練習用具は、前記（１）〜（３）において、前記（１）〜（３）において、前記折曲抑止部材が生分解性プラスチックを素材として形成されていることを特徴とする。
【発明の効果】
【０００９】
本発明によれば、ゴルフクラブを把持する手の掌面側が打撃されるゴルフボールに対向する利き腕に装着され、前記手の掌面側及び／又は甲面側に沿って配置され手首の外折角度を規制する折曲抑止部材を備えているので、力が入りやすく、かつ鋭敏な利き腕における手首の外折れ角度の矯正が可能なのでトレーニングを効果的に行うことができ、少ない練習でその適正なゴルフスウィングを習得することができる。また、利き腕に装着するだけなので、練習のみならず実際のゴルフプレイに用いてスコアアップを図ることも可能である。
【００１０】
また、本発明は、装着時における手首の折曲規制角度を調整するための折曲量調整部材を備えることもできるので、人それぞれに異なる手首の折り曲げ状態を適正角度に設定することができ、練習の効果をさらに高めることができる。また、プレイの環境条件や体調などによって調整することも可能である。
【００１１】
本発明は、前記折曲抑止部材は、手の親指側にその甲面と掌面とに亘って曲設されるようにすることもできるので、これによって手首が前後方向へ曲がるのを効果的に規制して打球がフックしたり、スライスしたりするのを防止しながら理想的なフォームが身につけられる。また、折曲抑止部材を自身の体型や手の大きさに合わせて形成し、これを手袋部材で被覆することによりスウィング改良効果の高いゴルフ練習用具手袋を形成でき、違和感なく装着できるとともに、保温性や外部からの衝撃などに対する保護性にも優れたものとすることができる。
【００１２】
さらに、折曲抑止部材の一部が掌面に設けられる場合、ゴルフクラブを適切にグリップしたときに、前記折曲抑止部材の所定箇所がゴルフクラブのグリップ部とぴったりと当接するような形状などにすることもでき、初心者などが正しいグリップを覚える場合にも有用となる。
【００１３】
また、本発明では、折曲抑止部材を生分解性プラスチックや抗菌材を素材として形成することもできるので、かびなどを発生させることなく常時衛生的に使用でき、生分解性プラスチックを適用した場合にはその廃棄処理が容易でゴルフ場周囲の環境などに配慮したゴルフ練習用具とすることができる。
【発明を実施するための最良の形態】
【００１４】
（実施の形態１）
図１は本発明の実施の形態１に係るゴルフ練習用具の斜視図である。
図１において、１０は実施の形態１のゴルフ練習用具、１１はゴルファの利き腕に装着される手袋本体、１２は手袋本体１１の手甲側に接着配置された手首の外折角度を規制するための所定の粘弾性あるいは弾力性を有した折曲抑止部材である。なお、以下においてはゴルファの利き腕が右手であって右利き用ゴルフクラブを用いてスウィングする場合を例として説明するものとする。
【００１５】
手袋本体１１は、例えば、皮革やポリウレタンなどからなる合成皮革、ポリエステルなどの布地を素材として縫製される。その手袋の指先部分は欠落して形成され、ゴルフスウィング中のグリップを確実なものにするとともに、その指先の感覚が鈍らないようにしている。手袋本体１１の基部側には利き腕に巻き付けて固定するための面状ファスナなどを有する腕固定部１１ａが設けられている。合成皮革はポリエステルなどの不織布とポリウレタンから構成されており、不織布にポリウレタン溶液を含浸して乾燥することで、ポリウレタンを繊維に固着した後、抗菌剤などを塗布する表面加工などを施すことで仕上げることができる。
【００１６】
折曲抑止部材１２は、所定の粘弾性を有した、例えば、ポリエチレン、ポリプロピレン、ポリスチレン、ポリカーボネイト、ナイロンなどの熱可塑性樹脂や、メラミン、フェノール、不飽和ポリエステルなどの熱硬化性樹脂を適用できるほか、アルミ合金やスチールなどの金属板を素材として形成することもできる。折曲抑止部材１２は図示するように、その長さが５０〜１００ｍｍ、幅が１０〜４０ｍｍ、厚みが１〜５ｍｍとなる略矩形板状である。その中央は屈曲して所定の手首の外折角度θ、例えば１５０〜１７０度の手首の外折角度を有するように形成されており、この折曲抑止部材１２が手袋本体１１の手甲部分に接着又は縫着されて固定されるようになっている。折曲抑止部材１２は手袋本体１１の手甲部分の表面、裏面に接着又は縫着してもよいし、あるいは手袋本体１１の素材でサンドイッチ状に被覆してもよい。
上記してきたように、本実施の形態１に係るゴルフ練習用具１０は、手首を挟んで前後２点で折曲抑止部材１２を手に固定させることで手首の折れを規制しているものであり、この場合は、前記折曲抑止部材１２が手袋本体１１により保持されながら、前側部分で手の甲に接するとともに、後側部分では手袋本体１１の腕固定部１１ａにより保持されることで手首の外側への折れ角度を規制している。かかる構成であるために、前記腕固定部１１ａの腕への締め付け量を可変とすることにより、手首の外側への折れ角度の規制程度を好みに合わせて変えることも可能となる。すなわち、腕固定部１１ａを腕に密着させれば所定の手首の外折角度θで規制されるが、締め付け量を緩めるほど、所定の手首の外折角度θよりも手首が外側へ折れることを許容することができる。
【００１７】
以上のように、ゴルフ練習用具１０はゴルファの利き腕側に装着され、スウィング時に力が強く入りがちな利き腕側における手首の手首の外折角度θを規定して矯正するようになっており、そのスウィング中におけるクラブヘッドの軌跡がぶれたりして、所謂８の字スウィングになることを防止して、正しく美しいスウィングを安定して実現できるようにして、これを身に付けさせるようにしている。こうして、ゴルフ練習用具１０を用いてスウィング練習を繰り返し実行することによって、正しいスウィングを身につけるトレーニングを効果的に行うことができ、少ない練習時間で理想的なゴルフスウィングを体得することが可能となる。
しかも、本ゴルフ練習用具１０は、実際のラウンド時にも着用することができるので、安定した美しいスウィングからナイスショットを放つこ確率が格段に向上し、スコアアップをも期待できる。
【００１８】
（実施の形態２）
図２は本発明の実施の形態２に係るゴルフ練習用具の斜視図である。
図２において、２０は実施の形態２のゴルフ練習用具、２１はゴルファの利き腕に装着される手袋本体、２２は手袋本体２１の親指側にその甲面と掌面とに亘って曲設され手首の外折角度を規制するための粘弾性を有した折曲抑止部材である。
【００１９】
手袋本体２１及び折曲抑止部材２２は前記実施の形態１のものと同様の素材で形成され、手袋本体２１はその指先を含めて利き手を包み込むように保護するようになっている。
折曲抑止部材２２は図示するように、利き手の甲面側に密着される甲面部２２ａと掌面側に配置される掌面部２２ｂとを有して湾曲状に形成される。すなわち、手袋本体２１の親指側に亘って甲面部２２ａと掌面部２２ｂとが曲設され、甲面部２２ａと掌面部２２ｂ間の湾曲した内部に利き手が嵌まり込むようにして挿入されるようになっている。このように鞍状に湾曲した折曲抑止部材２２は、金型枠中に樹脂を注入して硬化させる射出成形や圧縮成形などにより成形することができる。なお、前記掌面部２２ｂの手首部分の伸延量は適宜設定することができる。
また、この折曲抑止部材２２の場合、特に上記掌面部２２ｂの内側縁部２２ｂ’を、ゴルフクラブＧをグリップしたときに、グリップ部Ｇ’と当接する位置まで伸延させた形状とすることで、正しいグリップを誰でも簡単に実現することができるので、ゴルフ初心者にとって、正しいグリップと正しいスウィングとの両方を同時に体得することができる。
なお、個別の利き手の形態に合わせて、液状又はペースト状の樹脂を用いて折曲抑止部材２２を直接型取りして、これを硬化させることで作成することもできる。この場合は、手に違和感なくなじむので、ゴルフ練習用具２０をはずして、素手のままゴルフクラブＧをスウィングしても、練習に近い手首の外折角度を維持して理想的なショットを打てる。
【００２０】
（実施の形態３）
図３は本発明の実施の形態３に係るゴルフ練習用具の斜視図である。
図３において、３０は実施の形態３のゴルフ練習用具、３１はゴルファの利き腕に装着される折曲抑止部材、３２、３３は折曲抑止部材３１の腕側２箇所にそれぞれ間隔をおいて設けられた帯状装着部、３４〜３６は利き手の指間にその湾曲した先端が挿入される３本の指間支持部である。
【００２１】
折曲抑止部材３１は硬質の合成樹脂やアルミ合金などの軽金属からなリ、その先端に指間支持部３４〜３６が設けられ、利き手の肘部分を外したほぼ中央に帯状装着部３２が、その基端に帯状装着部３３が取り付けられている。帯状装着部３２、３３はその両端が面状ファスナとなっている。これによって、ゴルファの体型やスウィングの癖などに応じて、ゴルフ練習用具３０の取り付け位置や、締めつけ具合を調整できるようにしている。すなわち、実施の形態１で説明したように、この場合であっても、帯状装着部３２、３３における腕への締め付け量を可変とすることにより、手首の外側への折れ角度の規制程度を好みに合わせて変えることが可能となる。
実施の形態３のゴルフ練習用具３０は以上のように実施の形態１や２のように手袋本体を備えていないので、装着感が少ない上に通気性にも優れており、快適にゴルフの練習を長時間に亘って継続することができる。
【００２２】
（実施の形態４）
図４は本発明の実施の形態４に係るゴルフ練習用具の斜視図である。
図４において、４０は実施の形態４のゴルフ練習用具、４１はゴルファの利き腕の甲面側に装着される折曲抑止部材、４２、４３は折曲抑止部材４１の腕側２箇所にそれぞれ間隔をおいて設けられたバンド装着部、４４は利き手の人指し指と小指間に巻き付けるように装着される先端側装着部、４５は折曲抑止部材４１の折曲規制角度を調整するための折曲量調整部材である。
【００２３】
折曲抑止部材４１は前記実施の形態３と同様に合成樹脂や軽金属からなリ、利き手の人指し指と小指間を固定するための先端側装着部４４を備え、利き手の手首部分を外したほ中央にバンド装着部４２が、その基端側にバンド装着部４３が取り付けられる。
折曲量調整部材４５は利き腕に固定されたバンド装着部４３と折曲抑止部材４１の基端部間の間隔を、ネジ軸４５ａに設けられたネジ部４５ｂを掴んで回転することで調整することができるようになっている。このネジ部４５ｂを緩めたり締めつけたりすることによって、ゴルフ練習用具４０に装着される利き腕の手首が動き得る範囲を規定することができる。すなわち、第１の実施形態における腕固定部１１ａ（図１参照）や第３の実施形態における帯状装着部３３（図３参照）でも腕との締め付け量を可変とすることで手首が動き得る範囲を調整することが可能であったが、ここでは、ねじ部４５ｂを用いて正確に調整することが可能となっている。こうし、ゴルファは自身に適した締めつけ状態でゴルフの練習を行うことができ、練習の成果を高めることができる。
【００２４】
なお、ネジ軸４５ａの基端が回転自在に固定されるバンド装着部４３にロードセルなどの圧力センサを設けて、このセンサからの信号を受けて折曲抑止部材４１の上腕部などに設けたブザーなどの信号発生部を作動させて警報音や音声により、スウィングの際に過剰の圧力が生じたことを当のゴルファや周囲に報知するようにしてもよい。これによって、ゴルファはゴルフスウィングの状態を聴覚により意識的に把握することができ、次のスウィングにこれを反映させて、理想的なものに近づけることが容易になる。なお、信号発生部としては発光ダイオードやランプを用いたものや、電気刺激を発生させるものなども適用でき、必要に応じてこれらを単独または組み合わせることも可能である。このように、従来のゴルフ練習用具であれば、手首の角度を単に固定矯正しているだけなので、ワンスウィングごとにその良否を自分でチェックしたり、他人がそのスウィングの欠点を指摘したりするといったチェック機能がなかったが、上述したように、スウィング時時における手首の折れによる圧力を検知する圧力センサを設け、この圧力センサにより規定圧力以上になるのを検知して音声信号や発光信号を発生させる信号発生部を設けた場合、ゴルフ練習時においてスウィングごとに客観的なチェックができ、練習効果を向上させることができる。しかも、ここでは利き腕の手首の外折れ角度を規制するようにしているので、その効果はより高まる。
【００２５】
（実施の形態５）
図５は本発明の実施の形態５に係るゴルフ練習用具の斜視図である。
図５において、５０は実施の形態５のゴルフ練習用具、５１は実施の形態１のゴルフ練習用具１０と連携して用いられるゴルファの利き腕と反対側となる脚部及び胸部をそれぞれ連結して両者の曲がりを阻止するための腰矯正部材である。
腰矯正部材５１はゴルファの胸部に巻き付けて固定するためのバンド状の胸部装着部５２と、ゴルファの股下脚部に固定される脚部装着部５３と、胸部装着部５２及び脚部装着部５３間を連結する腰折曲抑止部材５４とを有して構成される。これによって、ゴルフの練習に際して、ゴルファの胸部及び脚部の角度を所定値に固定維持させるとともに、前記実施の形態１〜４のゴルフ練習用具と連携させることで、そのゴルフスウィングをより正確なものとする。なお、ゴルファの体に密着して装着される腰矯正部材５１の表面を抗菌剤などで処理することもできる。これによって、夏場などでも集中力が途切れることなく快適にゴルフの練習に専念させることができる。
【００２６】
ゴルファはゴルフ練習用具５０を用いて練習を重ねることで、利き腕となる手首の折れや、腰部の曲がりを矯正でき、テークバックやインパクトにおける適正なフォームを形成して、理想的なスウィング軌道を実現できる。こうして正確なショットが実現されることで飛距離を伸ばすとともにスライスやフックを防止して、ミスショットを少なくすることができる。さらにスウィングの際にクラブが折れたり、地面や障害物に当たったりした場合でも手首や胸部、脚部を保護することができる。
【００２７】
以上本発明のゴルフ練習用具について説明したが、本発明は、アドレス時にゴルフボールに相対したときに、飛球側と反対側の手、すなわち、通常では利き腕となる手の掌面側及び／又は甲面側に沿って装着される折曲抑止部材を備えていること要旨とするものであって、特許請求の範囲から逸脱しない限り、上述してきた各実施の形態のものに限定されることなく適用でき、適宜変形することも可能である。また、実施の形態では折曲抑止部材としてプラスチックを素材とするものについて言及したが、例えば、木質材や布材、金属材、生分解性プラスチックなどとの複合材を用いることも可能である。
【図面の簡単な説明】
【００２８】
【図１】本発明の実施の形態１に係るゴルフ練習用具の斜視図である。
【図２】本発明の実施の形態２に係るゴルフ練習用具の斜視図である。
【図３】本発明の実施の形態３に係るゴルフ練習用具の斜視図である。
【図４】本発明の実施の形態４に係るゴルフ練習用具の斜視図である。
【図５】本発明の実施の形態５に係るゴルフ練習用具の斜視図である。
【符号の説明】
【００２９】
１０  実施の形態１のゴルフ練習用具
１１  手袋本体
１１ａ  腕固定部
１２  折曲抑止部材
２０  実施の形態２のゴルフ練習用具
２１  手袋本体
２２  折曲抑止部材
２２ａ  甲面部
２２ｂ  掌面部
３０  実施の形態３のゴルフ練習用具
３１  折曲抑止部材
３２、３３  帯状装着部
３４〜３６  指間支持部
４０  実施の形態４のゴルフ練習用具
４１  折曲抑止部材
４２、４３  バンド装着部
４４  先端側装着部
４５  折曲量調整部材
４５ａ  ネジ軸
４５ｂ  ネジ部
５０  実施の形態５のゴルフ練習用具
５１  腰矯正部材
５２  胸部装着部
５３  脚部装着部
５４  腰折曲抑止部材
【図１】
2006255174.tif 000003
【図２】
2006255174.tif 000004
【図３】
2006255174.tif 000005
【図４】
2006255174.tif 000006
【図５】
2006255174.tif 000007